【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
脊椎変形を整復するための器具において、
複数の細長い要素であって、それぞれが概ね長手方向軸に沿って伸張しており、対応する椎骨に連結できるようになっている近位部分と、遠位部分とを含んでいる、細長い要素と、
第１横断軸に沿って伸張している第１整復要素であって、前記細長い要素の前記遠位部分と係合して、前記遠位部分を前記第１横断軸に対して概ね整列した状態に維持する、第１整復要素と、
第２横断軸に沿って伸張している第２整復要素であって、前記細長い要素と可動的に係合し、前記第２整復要素が前記細長い要素に沿って近位方向に動かされると、前記近位部分が前記第２横断軸に対して概ね整列した状態に配置されて、脊椎変形が整復される、第２整復要素と、を備えている器具。
【請求項２】
前記第２整復要素を前記細長い要素に沿って移動させると、前記細長い要素の少なくとも幾つかに前記第１横断軸周りの回転運動が付与され、前記脊椎変形が整復される、請求項１に記載の器具。
【請求項３】
前記細長い要素の前記少なくとも幾つかが前記回転運動をすることで、対応する椎骨に回転運動と並進運動の内の少なくとも１つが付与される、請求項２に記載の器具。
【請求項４】
前記第２整復要素を前記細長い要素に沿って滑動移動させると、対応して、前記細長い要素が互いに概ね整列状態に引き寄せられる、請求項１に記載の器具。
【請求項５】
前記遠位部分が前記第１横断軸に対して概ね整列され、前記近位部分が前記第２横断軸に対して概ね整列されると、対応して、前記細長い要素は実質的に共通面に沿って配置され、脊椎変形が整復される、請求項１に記載の器具。
【請求項６】
前記細長い要素のそれぞれは、前記近位部分と前記遠位部分の間を伸張する長さを有するスロットを画定しており、前記第２整復要素は、前記細長い要素により画定される前記スロット内に配置されており、前記スロットの前記長さに沿って近位方向に動かされて、前記近位部分を前記第２整復要素に沿って概ね整列させ、脊椎変形を整復する、請求項１に記載の器具。
【請求項７】
前記細長い要素に係合されて、隣接する対を成す前記細長い要素の前記遠位部分の間に選択距離を確立する、スペーサ機構を更に備えている、請求項１に記載の器具。
【請求項８】
前記スペーサ機構は、選択長さを有する複数のスペーサ要素を備えており、前記スペーサ要素の内の１つは、前記隣接する対を成す前記細長い要素の前記遠位部分の間に配置されて、前記選択距離を確立する、請求項７に記載の器具。
【請求項９】
前記スペーサ要素は、前記第１整復要素に係合される、請求項８に記載の器具。
【請求項１０】
前記遠位部分の間に前記選択距離が確立されると、対応して、前記隣接する対を成す細長い要素は互いに対して選択角度に配置され、対応して、前記隣接する対を成す細長い要素が連結されている椎骨が実質的に前記選択角度に配置される、請求項７に記載の器具。
【請求項１１】
前記細長い要素の内の少なくとも２つは、選択傾斜角度を画定している傾斜面を含んでおり、
前記第２整復要素は、前記傾斜面に押し付けて係合され、前記細長い要素の内の少なくとも２つを互いに対して選択角度に配置し、対応して、前記細長い要素の内の少なくとも２つが連結されている椎骨が、実質的に前記選択角度に配置される、請求項１に記載の器具。
【請求項１２】
前記細長い要素の内の前記少なくとも２つは、異常な脊椎湾曲の外側境界線を画定する椎骨に連結される、請求項１１に記載の器具。
【請求項１３】
前記傾斜面は、ブロック要素により画定され、前記ブロック要素の内の１つは、前記少なくとも２つの細長い要素のそれぞれと係合される、請求項１１に記載の器具。
【請求項１４】
脊椎変形を画定している複数の椎骨のそれぞれに錨着できるようになっている少なくとも１つの骨アンカーを更に備えており、
前記細長い要素は、前記少なくとも１つの骨アンカーの内の対応するアンカーに解除可能に係合される、請求項１に記載の器具。
【請求項１５】
前記細長い要素のそれぞれは第１ねじ部分を含んでおり、前記第１ねじ部分は、前記少なくとも１つの骨アンカーと関係付けられている第２ねじ部分と螺合して、両者の間に解除可能な係合を提供する、請求項１４に記載の器具。
【請求項１６】
脊椎変形を画定している複数の椎骨のそれぞれに錨着させることができるようになっている一対の骨アンカーと、
前記一対の骨アンカーそれぞれの間に連結されたブリッジ部材と、を更に備えており、
前記細長い要素は、前記ブリッジ部材の各々に係合される、請求項１に記載の器具。
【請求項１７】
前記一対の骨アンカーは、脊柱の互いに反対側に配置され、
前記細長い要素は、脊柱の中間部分に沿って配置される、請求項１６に記載の器具。
【請求項１８】
前記骨アンカーは、骨スクリューを備えている、請求項１６に記載の器具。
【請求項１９】
前記一対の骨アンカーは、脊柱の互いに反対側に配置され、
脊柱の一方の側に沿って前記骨アンカーと係合され、脊椎変形の矯正を維持する一対の細長い植込み物を更に備えている、請求項１６に記載の器具。
【請求項２０】
脊椎変形を整復するための器具において、
複数の細長い要素であって、それぞれが概ね長手方向軸に沿って伸張しており、対応する椎骨に連結できるようになっている近位部分と、遠位部分とを含んでいる、細長い要素と、
前記細長い要素の前記遠位部分に係合され、前記遠位部分を前記第１整復要素に対して実質的に固定された関係に維持する第１整復要素と、
前記細長い要素に可動的に係合され、前記第２整復要素を近位方向に動かすと、その結果、前記細長い要素の前記近位部分が相対的に移動して、脊椎変形が整復される、第２整復要素と、を備えている器具。
【請求項２１】
前記第２整復要素を前記細長い要素に沿って動かすと、前記細長い要素の少なくとも幾つかに前記第１整復要素周りの回転運動が付与され、脊椎変形が整復される、請求項２０に記載の器具。
【請求項２２】
前記第２整復要素を前記細長い要素に沿って動かすと、対応して、前記細長い要素が互いに共通面に沿って概ね整列状態に引き寄せられ、脊椎変形が整復される、請求項２０に記載の器具。
【請求項２３】
前記細長い要素のそれぞれは、前記近位部分と前記遠位部分の間を伸張する長さを有するスロットを画定しており、前記第２整復要素は前記細長い要素により画定される前記スロット内に配置され、前記スロットの前記長さに沿って滑動可能に係合され、対応して、前記細長い要素を前記第２整復要素に沿って互いに概ね整列状態に引き寄せる、請求項２０に記載の器具。
【請求項２４】
前記細長い要素と係合されて、前記隣接する対を成す前記細長い要素の前記遠位部分の間に選択距離を確立する、スペーサ機構を更に備えている、請求項１に記載の器具。
【請求項２５】
脊椎変形を整復するための器具において、
複数の細長い要素であって、それぞれが、対応する椎骨に連結できるようになっている近位部分と、遠位部分とを含んでおり、それぞれが、前記近位部分と前記遠位部分の間を伸張する長さを有するスロットを画定している、細長い要素と、
前記細長い要素と係合して、前記遠位部分を前記第１整復要素に対して概ね整列した状態に維持する第１整復要素と、
前記細長い要素により画定された前記スロット内に配置され、前記スロットの前記長さに沿って近位方向に動かされ、前記近位部分を前記第２整復要素に沿って概ね整列させて、脊椎変形を整復する、第２整復要素と、を備えている器具。
【請求項２６】
前記第１整復要素は、前記細長い要素の前記スロット内に前記遠位部分に隣接して配置されて、前記遠位部分を前記第１整復要素に沿って概ね整列した状態に維持する、請求項２５に記載の器具。
【請求項２７】
前記第１整復要素は、最初は前記スロット内に配置され、前記スロットの前記長さに沿って遠位方向に動かされ、前記遠位部分を前記第１整復要素に沿って概ね整列させる、請求項２６に記載の器具。
【請求項２８】
前記第２整復要素を前記スロットの前記長さに沿って移動させると、対応して、前記細長い要素が、共通面に沿って互いに概ね整列状態に引き寄せられる、請求項２５に記載の器具。
【請求項２９】
前記第２整復要素を前記スロットの前記長さに沿って移動させると、前記細長い要素の少なくとも幾つかに前記第１整復要素周りの回転運動が付与され、脊椎変形が整復される、請求項２５に記載の器具。
【請求項３０】
脊椎変形を整復するための器具において、
複数の細長い要素であって、それぞれが、長手方向軸に沿って伸張しており、近位部分と遠位部分とを含んでいる、細長い要素と、
前記細長い要素のそれぞれの前記近位部分を対応する椎骨に連結するための手段と、
前記細長い要素の前記遠位部分を概ね第１横断軸に沿って整列した状態に維持するための手段と、
前記細長い要素の前記近位部分を概ね前記第２横断軸に沿って整列させて、脊椎変形を整復する手段と、を備えている器具。
【請求項３１】
隣接する対を成す前記細長い要素の前記遠位部分を選択距離だけ空けて配置し、前記隣接する対を成す細長い要素を互いに対して選択角度に配置し、対応して、前記隣接する対を成す細長い要素が連結されている椎骨を実質的に前記選択角度に配置する手段を更に備えている、請求項３０に記載の器具。
【請求項３２】
前記細長い要素の内の少なくとも２つを互いに対して選択角度に配置し、対応して、前記細長い要素の内の前記少なくとも２つが連結されている椎骨を実質的に前記選択角度に配置する手段を更に備えている、請求項３０に記載の器具。
【請求項３３】
前記細長い要素のそれぞれを対応する椎骨に連結するための前記手段は、
一対の骨アンカーと、
前記一対の骨アンカーを相互接続するための手段と、を含んでおり、
前記細長い要素は、前記相互接続するための前記手段に連結される、請求項３０に記載の器具。
【請求項３４】
前記維持するための手段と前記整列させるための手段は協働して、前記細長い要素の前記長手方向軸を概ね共通面に沿って配置する、請求項３０に記載の器具。